(57)【要約】【課題】各空気調和機ユニットの配置されている位置を、早期に確認することができ、確認作業時間を短縮することができる空気調和機管理システムを提供する。【解決手段】空気調和機管理システム１は、複数台の空気調和機ユニット１０と、複数台の空気調和機ユニット１０に接続され複数台の空気調和機ユニットの管理を行う空気調和機管理コントローラ２を備え、空気調和機管理コントローラ２の表示装置５では、各空気調和機ユニット１０の「ユニット名」を表示している場合に、切替操作で「エリア名」を選択すると、空気調和機ユニット１０の「ユニット名」が、空気調和機ユニット１０の配置されている位置情報である「エリア名」に切り替えて表示される。【選択図】図５
2015064150.tif 000002
【特許請求の範囲】
【請求項１】
複数台の空気調和機ユニットと、前記複数台の空気調和機ユニットに接続され前記複数台の空気調和機ユニットの管理を行う空気調和機管理コントローラと、を備える空気調和機管理システムであって、
前記空気調和機管理コントローラは、表示装置と操作に基づき前記表示装置による表示内容を制御する制御装置とを有し、
前記制御装置は、前記表示装置で各前記空気調和機ユニットを識別するための「ユニット名」を表示している場合に、操作を検出して、前記空気調和機ユニットの前記「ユニット名」を当該空気調和機ユニットの配置されている位置情報を示す表記に切り替えて前記表示装置に表示させることを特徴とする空気調和機管理システム。
【請求項２】
前記空気調和機ユニットの位置情報は複数階層の情報からなり、
前記制御装置は、前記「ユニット名」を位置情報を示す表記に切り替えて前記表示装置に表示させると同時に、前記複数台の空気調和機ユニットを、さらに上層の位置情報に含まれる空気調和機ユニット毎のグループに区分けして、その区分けを前記表示装置に表示させることを特徴とする請求項１に記載の空気調和機管理システム。
【発明の詳細な説明】
【技術分野】
【０００１】
本発明の実施の形態は、空気調和機管理システムに関する。
【背景技術】
【０００２】
オフィスビルやテナントビル等の複数の建物に設置された多数の空調調和機ユニットの運転状況を、効率良く表示することができる群管理システムが、特許文献１に開示されている。特許文献１の群管理システムでは、取得部は建物ごとに配置され、取得部が多数の空気調和機ユニットを制御する制御装置を介して、多数の空気調和機ユニットの運転データを取得し、抽出部は、複数の評価視点に基づいて所定の条件に適合する群を抽出するようになっている。
【先行技術文献】
【特許文献】
【０００３】
【特許文献１】特開２０１０−２５５０４号公報
【発明の概要】
【発明が解決しようとする課題】
【０００４】
大規模なビルや集中建築物件における空気調和機ユニット（主に室内機）を管理する場合、各空気調和機ユニットの設置位置を特定するためにフロアやテナント、エリア等の細かい設置位置に関する情報を各空気調和機ユニット毎に対応付けておくことが望ましい。
【０００５】
しかしながら、上述した空気調和機の群管理システムでは、例えば大規模のオフィスビル等の建物では、作業者が、あるフロアにある空気調和機ユニットをメンテナンスする必要が生じた時に、メンテナンス対象の空気調和機ユニットが、どの階のフロアにあるかは分かるものの、そのメンテナンス対象の空気調和機ユニットが設置されているエリア名（例えば、会議室や居室名や通路名等）やテナント名までを空気調和機ユニット毎に個別に確認しないと、メンテナンス対象の空気調和機ユニットの配置位置を特定することができない。
【０００６】
このため、作業者は、メンテナンス対象の空気調和機ユニットの位置を特定するための確認操作が必要であり、確認操作は手間がかかり、確認に時間を要した。
【０００７】
本発明は、上記に鑑みてなされたもので、その目的とするところは、各空気調和機ユニットの配置されている位置を、早期に確認することができ、確認作業時間を短縮することができる空気調和機管理システムを提供することにある。
【課題を解決するための手段】
【０００８】
本発明の実施の形態の空気調和機管理システムは、複数台の空気調和機ユニットと、前記複数台の空気調和機ユニットに接続され前記複数台の空気調和機ユニットの管理を行う空気調和機管理コントローラと、を備える空気調和機管理システムであって、前記空気調和機管理コントローラは、表示装置とこの表示装置による表示内容を制御する制御装置とを有し、前記制御装置は、前記表示装置で各前記空気調和機ユニットを識別するための「ユニット名」を表示している場合に、操作を検出して、前記空気調和機ユニットの前記「ユニット名」を当該空気調和機ユニットの配置されている位置情報を示す表記に切り替えて前記表示装置に表示させることを要旨とする。
【図面の簡単な説明】
【０００９】
【図１】本発明の空気調和機管理システムの実施形態を示す図である。
【図２】図１に示す空気調和機管理コントローラの表示装置に表示された「フロア表示」ＤＦを示す図である。
【図３】図１に示す空気調和機管理コントローラの表示装置に表示された「ユニット表示」ＤＵを示す図である。
【図４】図３に示す「ユニット表示」ＤＵの右上の「ユニット名」ボタン（切替ボタン）の付近を拡大して示す図である。
【図５】管理情報表示領域内の「エリア表示」ＤＥの表示内容を示す図である。
【図６】管理情報表示領域内の「テナント毎のグルーピング表示」ＤＧを示す図である。
【図７】図６に示した建物のフロア３Ｆにおける、「テナント名」、「エリア名」、そして空気調和機ユニットの「ユニット名」の階層表示一覧の例を示す図である。
【図８】「フロア名」、「ユニット名」、「エリア名」、「テナント名」を管理情報表示領域に表示する手順を示すフローを示す図である。
【発明を実施するための形態】
【００１０】
以下、図面を用いて、本発明の実施するための形態（以下、実施形態と称する）を説明する。
【００１１】
図１は、本発明の空気調和機管理システムの実施形態を示す図である。
【００１２】
図１に示す空気調和機管理システム１は、オフィスビルやテナントビル、病院や大学あるいは工場等の建物のような空気調和を行う管理域に設定される。空気調和機管理システム１は、空気調和機管理コントローラ（以下、空調管理コントローラともいう）２と、空気調和機管理コントローラ２により管理される複数台の空気調和機ユニット１０を備える。なお、空気調和機ユニットは、室外機と室内機があるが、ここでは、主として屋内に設置される室内機を対象としている。
【００１３】
なお、以下の実施形態ではタブレット等のタッチスクリーンを備えた携帯可能な機器を空気調和機管理コントローラとして使用した場合について説明するが、パソコンによって空調管理コントローラを構成し、マウスによるパソコンの画面上の操作についても同様に適用可能である。
【００１４】
図１に示す空気調和機管理コントローラ２は、表示装置５とこの表示装置５の表示画面５Ａ表示する内容を決定するとともに表示画面５Ａにおける操作内容を検出する制御装置６とを有している。表示装置５の表示画面５Ａは、いわゆるタッチスクリーンを備え、このタッチスクリーンを管理者（ユーザ）が手指でタッチ（タップともいう、またロングタップ、ダブルタップ、フリック、ピンチイン・ピンチアウト、ドラッグも含む）した場所を制御装置６に出力する機能を備えている。制御装置６は、その際、表示装置５の表示画面５Ａに表示しているアイコン等の位置とタッチされた位置から、表示する情報の各種の設定操作や表示装置５の表示画面５Ａの表示内容を切り替える機能を有している。表示装置５としては、例えば静電容量方式のタッチ式の液晶表示装置や有機ＥＬ（エレクトロルミネッセンス）等を採用できる。制御装置６は、マイクロコンピュータ及び各種周辺回路で構成される。
【００１５】
各空気調和機ユニット１０は、いわゆる室内機であり、制御部１１及び室内熱交換器や室内ファン等を備えた室内機器１２を有している。空気調和機管理コントローラ２と各制御部１１は、無線あるいは有線により接続されており、各制御部１１と対応する室内機器１２は、有線により接続され、制御部１１によって室内機器１２は制御される。空気調和機管理コントローラ２からの動作指令が制御部１１に送られると、制御部１１は対応する室内機器１２の動作を制御する。各空気調和機ユニット１０の形態としては、例えば図示しない建物の天井面に埋設される天井埋め込み型や床に設置される床置型等があり、空気調和機ユニット１０の形態は、特に限定されない。
【００１６】
図２は、制御装置６によって空気調和機管理コントローラ２の表示装置５に表示された「フロア表示」ＤＦを示している。
【００１７】
表示装置５の表示画面５Ａに表示された「フロア表示」ＤＦは、運転状況表示部２０と、管理情報表示領域２１と、画面上に表示されるアイコンからなる送信ボタン２２と、取消ボタン２３と、全選択表示部２４と、リスト表示部２５、そして階層表示ボタン群３０等を有している。なお、表示装置５は、タッチ操作可能な画面となっており、入力装置も兼ねている。
【００１８】
図２に示す運転状況表示部２０は、各種の運転状況を表示する領域であり、「日時表示部」２０Ａ、「特定の空気調和機ユニットが配置されているフロア階数、エリア名」表示部２０Ｒ、「運転／停止」表示部２０Ｂ、「運転モード」表示部２０Ｃ、「設定温度」表示部２０Ｄ、「風速」表示部２０Ｅ、「フラップ」表示部２０Ｆ、「手元操作」表示部２０Ｇ、「参照温度」表示部２０Ｈ、「換気」表示部２０Ｉ、そして「パワーレベル」表示部２０Ｊを有している。
【００１９】
図２に示す「特定の空気調和機ユニットが配置されているフロア階数、エリア名」表示部２０Ｒには、「フロア階数３Ｆ、東芝レストラン、厨房、ユニット名ＥＣＯ１２３」が表示されている。「日時表示部」２０Ａでは、現在の日時が表示されている。「運転／停止」表示部２０Ｂでは、「運転」状態が表示されている。「運転モード」表示部２０Ｃでは、「冷房」が表示されている。
【００２０】
「設定温度」表示部２０Ｄでは、「２０℃」が表示されている。「風速」表示部２０Ｅでは、「弱風」が表示されている。「フラップ」表示部２０Ｆでは、「スイング」が表示されている。「手元操作」表示部２０Ｇでは、「禁止」が表示されている。「参照温度」表示部２０Ｈでは、「２０℃」が表示されている。「換気」表示部２０Ｉでは、「ＯＮ」が表示されている。
【００２１】
階層表示ボタン群３０は、上から「監視」ボタン３１、「フロア」ボタン３２、「テナント」ボタン３３と、「エリア」ボタン３４と、そして「ユニット」ボタン３５を有している。「フロア」ボタン３２、「テナント」ボタン３３と、「エリア」ボタン３４と、そして「ユニット」ボタン３５は、作業者が手指でタッチ操作（タップ）することで、任意に選択して入力することができる。
【００２２】
フロアは、例えば、ビルの階数を意味し、テナントは店舗名、エリアは、テナント内の区域を意味している。一般に1つのフロアには、複数のテナントが含まれ、１つのテナント内には複数のエリアが含まれる。そして、1つのエリアに複数の空気調和機ユニットが含まれる。区域の区分として、フロア、テナント、エリア、ユニットの順に狭い位置関係を示している。階層として考えると、フロア、テナント、エリア、ユニットの順に上層から下層へとなる。なお、複数の建物を管理対象とする場合には、フロアの上位に「ビル」の区分を設定することも可能である。
【００２３】
管理情報表示領域２１は、各種の管理情報を表示する領域である。作業者が、手指で図２に示す表示画面５Ａに表示されたフロアボタン３２をタッチ操作することで、「フロア表示」ＤＦには、オフィスビルのフロアを示すアイコン「１Ｆ」、「２Ｆ」、「３Ｆ」、「４Ｆ」、「５Ｆ」、「６Ｆ」、「７Ｆ」、「Ｂ１」が表示される。
【００２４】
作業者が、手指で図２に示す「フロア表示」ＤＦのアイコン「１Ｆ」、「２Ｆ」、「３Ｆ」、「４Ｆ」、「５Ｆ」、「６Ｆ」、「７Ｆ」、「Ｂ１」をタッチ操作することで、アイコン「１Ｆ」、「２Ｆ」、「３Ｆ」、「４Ｆ」、「５Ｆ」、「６Ｆ」、「７Ｆ」、「Ｂ１」に関する詳細情報を、それぞれ管理情報表示領域２１に表示させることができる。
【００２５】
次に、図３を参照する。図３は、図１に示す空気調和機管理コントローラ２の表示装置５に表示されたユニット表示ＤＵを示す図である。
【００２６】
図３に示す「ユニット表示」ＤＵは、作業者が、手指で図２に示す例えばアイコン「３Ｆ」をタッチ操作し、しかも楕円表示領域４０内の「ユニット」ボタン３５をタッチ操作したことを制御装置６が検出し、表示装置５を制御することで管理情報表示領域２１に表示させることができる。図３に示す「ユニット表示」ＤＵは、下層名称であり、図２に示す「フロア表示」ＤＦは、上層名称である。
【００２７】
図３に示す「ユニット表示」ＤＵには、例えば「○○ビルの３Ｆ（３階）」に配置されている複数の空気調和機ユニット１０を明示するアイコン１０−１，１０−２，１０−３、・・・１０−３２が、配列して表示されている。しかも、「ユニット表示」ＤＵの右上には、「ユニット名」ボタン５０が新たに表示されている。
【００２８】
複数の空気調和機ユニット１０のアイコン１０−１，１０−２，１０−３、・・・１０−３２には、各空気調和機ユニット１０に対して、使用者または管理者が予め定めた識別記号である「ＥＣＯ１２３」，「Ａｃｎ００１」，「Ａｃｎ００２」、・・・（中略）・・・「Ａｃｎ００６」という空気調和機ユニット１０の「ユニット名」が、それぞれ表示される。
【００２９】
図４は、図３に示す「ユニット表示」ＤＵの右上の「ユニット名」ボタン５０の付近を拡大して示している。作業者が手指で、図３に示すこの「ユニット名」ボタン５０をタッチ操作することで、図４に示すように、「テナント名」ボタン５１と、「エリア名」ボタン５２と、「ユニット名」ボタン５３が、管理情報表示領域２１の右上の領域において、新たに表示される。
【００３０】
これらの「テナント名」ボタン５１と、「エリア名」ボタン５２と、「ユニット名」ボタン５３は、管理情報表示領域２１に表示すべき内容を切替えるための切替ボタンである。作業者が、「テナント名」ボタン５１と、「エリア名」ボタン５２と、「ユニット名」ボタン５３の内の１つのボタンを手指で任意にタッチ操作をすることで、管理情報表示領域２１に表示すべき内容が、「テナント名」、「エリア名」、「ユニット名」に切替えることができる。
【００３１】
作業者が手指で、図４に示す楕円表示領域６０内の「エリア名」ボタン５２をタッチ操作すると、制御装置６が、その操作を検出し、表示装置５を制御することで、図３に示す管理情報表示領域２１内の「ユニット表示」ＤＵの表示内容を、図５に示す管理情報表示領域２１内の「エリア表示」ＤＥの表示内容に切り替える。
【００３２】
図５は、管理情報表示領域２１内の「エリア表示」ＤＥの表示内容を示している。
【００３３】
この管理情報表示領域２１内に新たに表示された「エリア表示」ＤＥでは、図３に示す複数の空気調和機ユニット１０を示すアイコン１０−１，１０−２，１０−３、・・・１０−３２の各「ＥＣＯ１２３」，「ＡＣＮ００１」，「ＡＣＮ００２」、・・・（中略）・・・「ＡＣＮ００６」という「ユニット名」が、アイコン１０−１，１０−２，１０−３、・・・（中略）・・・１０−３２についての「会議室０１」、「会議室０２」、「会議室０３」、・・・（中略）・・・のように、テナントである「○○××（会社名）」内における各空気調和機ユニットの位置情報を示す「エリア名」にそれぞれ切り替わっている。同様に作業者が手指で、図４に示す楕円表示領域６０内の「テナント名」ボタン５２をタッチ操作すると、制御装置６により図３に示す管理情報表示領域２１内の「ユニット表示」ＤＵの表示内容は、それぞれの空気調和機ユニット１０が設置されている位置情報の一部である「テナント」を表記する表示内容に切り替わる。
【００３４】
すなわち、図３に示す複数の空気調和機ユニット１０のアイコン１０−１，１０−２，１０−３、・・・（中略）・・・１０−３２における全ての「ユニット名（空気調和機ユニット名称）」が、各空気調和機ユニット１０が配置されている位置の「エリア」を明示する「エリア名」や「テナント」を明示する「テナント名」に、ワンタッチ操作で、切り替えて表示することができる。これにより、作業者は、各空気調和機ユニット１０がどのテナントやエリア内に設置されているユニットなのかを、目視で早期にしかも簡単に確認できる。
【００３５】
変形例として、「エリア名」を表示する際に、その上位の階層である「テナント名」も確認できるようにした表示例を、図６に示している。図６では、管理情報表示領域２１内に「エリア名」で表示された各空気調和機ユニットを「テナント毎のグルーピング表示」ＤＧしたものである。
【００３６】
図６に示すように、フロア３Ｆの複数の空気調和機ユニット１０のアイコン１０−１，１０−２，１０−３、・・・１０−３２には、それぞれの空気調和機ユニットが属する「エリア名」が表示されている。これに加えて破線の枠で示すように、複数のテナント名「Ａ社」表示枠７１、「Ｂ社」表示枠７２、「Ｃ社」表示枠７３、そして「Ｄ社」表示枠７４を用いて、グループ毎に区分けして表示されている。すなわち、複数の空気調和機ユニット１０のアイコン１０−１，１０−２，１０−３、・・・１０−３２は、同じフロア３Fに入居している異なる複数のテナント名「Ａ社」、「Ｂ社」、「Ｃ社」、「Ｄ社」に区分けされている。
【００３７】
例えばテナント名「Ａ社」表示枠７１には、テナントＡ社のエリアに設置されている空気調和機ユニット１０のアイコン１０−１，１０−２等が属し、テナント名「Ｂ社」表示枠７２には、テナントＢ社のエリアに設置されている空気調和機ユニット１０のアイコン１０−３，１０−４等が属している。同様に、テナント名「Ｃ社」表示枠７３には、テナントＣ社のエリアに設置されている空気調和機ユニット１０のアイコン１０−５，１０−６等が、そしてテナント名「Ｄ社」表示枠７４には、テナントＣ社のエリアに設置されている空気調和機ユニット１０のアイコン１０−３１，１０−３２等が属している。
【００３８】
これにより、作業者は、複数の空気調和機ユニット１０のアイコン１０−１，１０−２，１０−３、・・・１０−３２が、どのテナントに属するかを、目視で早期に簡単に区別することができるようになっている。
【００３９】
図７は、図６に示した建物のフロア３Ｆにおける、各空気調和機ユニット１０の「ユニット名」及び各空気調和機ユニット１０が属する「テナント名」、「エリア名」を示す階層表示一覧の例を示している。
【００４０】
次に、図８を参照して、図１に示す空気調和機管理システム１において、「フロア名」、「ユニット名」、「エリア名」、「テナント名」を、管理情報表示領域２１に表示する手順の例を説明する。図８では、使用者の操作と、制御装置６の検出・判別・処理、この制御装置６による表示装置５の表示画面５Ａの切り替えをフロー図で示している。
【００４１】
ステップＳ１では、図２に示すように、表示装置５の表示画面５Ａの管理情報表示領域２１には、「フロア表示」ＤＦが表示されており、「フロア表示」ＤＦでは、最も上層であるアイコン「１Ｆ」、「２Ｆ」、「３Ｆ」、「４Ｆ」、「５Ｆ」、「６Ｆ」、「７Ｆ」、「Ｂ１」が表示されている。
【００４２】
ステップＳ２において、作業者が図２に示す例えばアイコン「３Ｆ」を選択してタッチ操作し、「ユニット名」ボタン５０を選択してタッチ操作すると、ステップＳ３では、図３に示すように、管理情報表示領域２１には、図２の「フロア表示」ＤＦから図３の「ユニット表示」ＤＵが、切り替えて表示される。
【００４３】
この「ユニット表示」ＤＵでは、例えば建物の「３Ｆ（３階）」に配置されている複数の空気調和機ユニット１０を明示するアイコン１０−１，１０−２，１０−３、・・・（中略）・・・１０−３２を配列して表示している。複数の空気調和機ユニット１０のアイコン１０−１，１０−２，１０−３、・・・（中略）・・・１０−３２には、それぞれ「ＥＣＯ１２３」，「Ａｃｎ００１」，「Ａｃｎ００２」、・・・（中略）・・・「Ａｃｎ００６」という「ユニット名」が、それぞれ表示される。
【００４４】
図８のステップＳ４では、作業者が図４に示す「エリア名」ボタン５２を選択してタッチ操作すると、ステップＳ５に移る。
【００４５】
ステップＳ５では、図５または図６に示すように、管理情報表示領域２１内の「エリア表示」ＤＥの表示内容では、図３に示す複数の空気調和機ユニット１０のアイコン１０−１，１０−２，１０−３、・・・（中略）・・・１０−３２における各「ＥＣＯ１２３」，「ＡＣＮ００１」，「ＡＣＮ００２」、・・・（中略）・・・「ＡＣＮ００６」という「ユニット名」が、アイコン１０−１，１０−２，１０−３、・・・（中略）・・・１０−３２において、「会議室０１」、「会議室０２」、「会議室０１」、・・・「東芝キャリア（会社名）」の「エリア名」９１から９６に、それぞれ表示が変更される。
【００４６】
これにより、作業者が「エリア名」ボタン５０である切替ボタンの操作をするだけで、作業者は、複数の空気調和機ユニット１０のアイコン１０−１，１０−２，１０−３、・・・（中略）・・・１０−３２の内のメンテナンス対象となる空気調和機ユニット１０が、どの「エリア」に配置されているのかを、表示画面５Ａの管理情報表示領域２１を見るだけで、目視で早期に確認することができる。また、図６に示すようにテナントのグルーピングまで表示するようにしておけば、空気調和機ユニット１０が、どのテナントに設置されているかも容易に確認することができる。このため、メンテナンス対象となる空気調和機ユニットの配置位置の確認作業時間を短縮することができ、空気調和機ユニットのメンテナンス作業や必要に応じて空気調和機ユニットの交換を行う作業がより簡単に行える。
【００４７】
一方、ステップＳ４において、作業者が、図４に示す切替ボタンである「エリア名」ボタン５２をタッチ操作せずに、切替ボタンである「テナント名」ボタン５１をも操作しなければ、図３の「ユニット表示」ＤＵのまま、変化しない。
【００４８】
ステップＳ６で、作業者が図４の「テナント名」ボタン５１をタッチ操作すると、ステップＳ７に移る。
【００４９】
ステップＳ７では、図示しないが、複数の空気調和機ユニット１０のアイコン１０−１，１０−２，１０−３、・・・１０−３２の「ユニット名」表示が、テナント名表示、例えば、「Ａ社」、「Ｂ社」、「Ｃ社」、そして「Ｄ社」に変化する。
【００５０】
すでに説明したように、特定の空気調和機ユニットをメンテナンスする必要が生じた時に、作業者は、メンテナンス対象のユニットが、設置されているエリア名（例えば、会議室や居室名や通路名等）やテナント名を、複数回の渡り複雑な操作を行なったり、設備資料を見ながら確認しないと、作業者は、メンテナンス対象のユニットの設置位置を特定することができない。このため、作業者は、メンテナンス対象のユニットの配置されている位置を特定するために、メンテナンス対象のユニットの配置位置の確認作業が必要である。
【００５１】
しかし、  本発明の実施形態の空気調和機管理システム１は、表示装置５の表示画面５Ａに表示されている管理情報表示領域２１において、各空気調和機ユニット１０の「ユニット名」を、各空気調和機ユニット１０が配置されている会議室や通路等の「エリア名」や各空気調和機ユニット１０が配置されている「テナント名」へ一括で変更して表示することができる。このため、作業者は、表示画面５Ａの管理情報表示領域２１を見るだけで、目視で早期に確認することができ、確認作業時間を短縮することができる。このため、空気調和機ユニットのメンテナンス作業や必要に応じて空気調和機ユニットの交換を行う作業がより簡単に行える。
【００５２】
また、作業者は、図４に示す表示装置５の表示画面の管理情報表示領域２１において、例えば切替ボタンである「エリア名」ボタン５２と、「ユニット名」ボタン５３の両方を同時にタッチ操作することもできるようにしてもよい。この操作により、図３に示す複数の空気調和機ユニット１０のアイコン１０−１，１０−２，１０−３、・・・１０−３２では、それぞれ「ＥＣＯ１２３」，「ＡＣＮ００１」，「ＡＣＮ００２」、・・・「ＡＣＮ００６」という「ユニット名」と、図５に示す複数の空気調和機ユニット１０のアイコン１０−１，１０−２，１０−３、・・・１０−３２において、「ユニット名」の表示に加えて、「会議室０１」、「会議室０２」、「会議室０３」、・・・「○○××（会社名）」の「エリア名」とを、管理情報表示領域２１に同時に併記することもできる。
【００５３】
すなわち、表示装置５では、空気調和機ユニット１０の「ユニット名」を表示している場合に、切替ボタン操作で「エリア名」を選択すると、空気調和機ユニット１０の「ユニット名」はそのまま表示した状態で、この「ユニット名」に加えて「エリア名」が併記して表示できる。
【００５４】
これにより、作業者が表示装置５の表示画面５Ａの管理情報表示領域２１において、複数の空気調和機ユニット１０のアイコン１０−１，１０−２，１０−３、・・・１０−３２の内のメンテナンス対象となる空気調和機ユニット１０の「ユニット名」と、対象となるユニットがどの「エリア名」に該当しているのかを、管理情報表示領域２１を見るだけで、同時に早期に目視で確認することができ、確認作業時間を短縮することができるので、空気調和機ユニットのメンテナンス作業や空気調和機ユニットの交換作業がより簡単に行える。
【００５５】
以上、本発明の実施形態を説明したが、実施形態は、例として提示したものであり、発明の範囲を限定することは意図していない。新規な実施形態は、その他の様々な態様で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５６】
本発明の各実施形態は、任意に組み合わせて用いることができる。また、図示した実施形態は、一例であり、任意の構造を採用することができる。
【符号の説明】
【００５７】
１      空気調和機管理システム
２      空気調和機管理コントローラ
５      表示装置
６      制御装置
１０    空気調和機ユニット
１１    制御部
１２    室内機器
１０−１，１０−２，１０−３、・・・１０−３２    複数の空気調和機ユニットのアイコン
２０    運転状況表示部
２１    管理情報表示領域
３０    階層表示ボタン群
３１    監視ボタン
３２    フロアボタン
３３    テナントボタン
３４    エリアボタン
３５    ユニットボタン
５０    「ユニット名」ボタン（切替ボタン）
ＤＵ    ユニット表示
ＤＥ    エリア表示
ＤＧ    グルーピング表示
【図１】
2015064150.tif 000003
【図２】
2015064150.tif 000004
【図３】
2015064150.tif 000005
【図４】
2015064150.tif 000006
【図５】
2015064150.tif 000007
【図６】
2015064150.tif 000008
【図７】
2015064150.tif 000009
【図８】
2015064150.tif 000010